(57)【特許請求の範囲】
【請求項１】
冷媒を圧縮する圧縮機と、
室外空気と冷媒を熱交換する第１熱交換器と、
室内空気と冷媒を熱交換する第２熱交換器と、
冷媒を膨張させる膨張機構と、
冷媒と熱媒の間で熱交換する第３熱交換器と、
熱媒の熱を利用して室内を暖房する暖房端末と、
冷媒の流れる流路を切り替える切替手段と、
を備えており、
暖房運転と、冷房運転と、を実行可能であり、
暖房運転は、
冷媒を圧縮機、第２熱交換器、膨張機構、第１熱交換器の順に循環させる第１動作と、
冷媒を圧縮機、第３熱交換器、膨張機構、第１熱交換器の順に循環させるとともに、熱媒を暖房端末と第３熱交換器の間で循環させる第２動作と、
の双方を含む運転であり、
冷房運転は、冷媒を圧縮機、第１熱交換器、膨張機構、第２熱交換器の順に循環させる動作を含む運転であり、
暖房運転が実行されるべき場合において、第１動作と第２動作とのうちの少なくとも一方を実行する際に、
燃料を燃焼させることによって発生する熱を利用して、暖房運転が実行される場合に、第２熱交換器に供給される冷媒を加熱することができる熱源機を備え、熱源機を動作させることにより、圧縮機によって加圧された冷媒の熱による暖房能力に対し、燃料を燃焼させることによって発生する熱による暖房能力を追加することが可能である、
ヒートポンプシステム。
【請求項２】
室内空気の温度を検出する検出手段をさらに備えており、
暖房運転を実行する場合において、
検出手段によって検出される温度が第１温度より低い場合に、熱源機の動作、第１動作、及び、第２動作を実行し、
検出手段によって検出される温度が第１温度以上である場合に、熱源機の動作を実行せず、第１動作及び第２動作を実行する、
請求項１のヒートポンプシステム。
【請求項３】
室内空気の温度を検出する検出手段をさらに備えており、
暖房運転を実行する場合において、
検出手段によって検出される温度が、第２温度より低い場合に、熱源機の動作、第１動作、及び、第２動作を実行し、
検出手段によって検出される温度が第２温度以上である場合に、熱源機の動作、第１動作、及び、第２動作のうち定格能力が最も高いものを実行せず、それ以外のものを実行する、
請求項１のヒートポンプシステム。
【請求項４】
室内空気の温度を検出する検出手段をさらに備えており、
暖房運転を実行する場合において、
検出手段によって検出される温度が、第４温度より低い場合に、第１動作及び第２動作を実行し、
検出手段によって検出される温度が第４温度以上である場合に、さらに、
（ａ）暖房端末が、室内において第２熱交換器より高い位置に設けられている場合には、第２動作を実行せずに第１動作を実行し、
（ｂ）第２熱交換器が、室内において暖房端末より高い位置に設けられている場合には、第１動作を実行せずに第２動作を実行する、
請求項１のヒートポンプシステム。
【請求項５】
省エネモードと通常モードとを含む複数のモードのうちいずれかで動作可能であって、
室内空気の温度を検出する検出手段をさらに備えており、
省エネモードで動作する間に暖房運転を実行する場合には、熱源機の動作を実行せずに、検出手段によって検出される温度に応じて、第１動作と第２動作とのうちの少なくとも１つを実行し、
通常モードで動作する間に暖房運転を実行する場合に、検出手段によって検出される温度に応じて、第１動作と、第２動作と、熱源機の動作と、のうちの少なくとも１つを実行する、
請求項１のヒートポンプシステム。
【発明の詳細な説明】
【技術分野】
【０００１】
本発明は、ヒートポンプシステムに関する。
【背景技術】
【０００２】
特許文献１には、冷媒を圧縮する圧縮機と、室外空気と冷媒を熱交換する第１熱交換器と、室内空気と冷媒を熱交換する第２熱交換器と、冷媒を膨張させる膨張機構と、冷媒と熱媒の間で熱交換する第３熱交換器と、熱媒の熱を利用して室内を暖房する暖房端末と、冷媒の流れる流路を切り替える切替手段とを備えるヒートポンプシステムが開示されている。このヒートポンプシステムは、暖房運転と、冷房運転と、を実行可能である。暖房運転では、冷媒を圧縮機、第２熱交換器、膨張機構、第１熱交換器の順に循環させる第１動作と、冷媒を圧縮機、第３熱交換器、膨張機構、第１熱交換器の順に循環させるとともに、熱媒を暖房端末と第３熱交換器の間で循環させる第２動作と、のうちの少なくとも一方を実行する。冷房運転では、冷媒を圧縮機、第１熱交換器、膨張機構、第２熱交換器の順に循環させる。
【先行技術文献】
【特許文献】
【０００３】
【特許文献１】特開２０１０−１９６９５０号公報
【発明の概要】
【発明が解決しようとする課題】
【０００４】
特許文献１のヒートポンプシステムでは、圧縮機の能力に応じて暖房能力が決定される。しかしながら、特許文献１のヒートポンプシステムでは、例えば、急速に室内を暖房したい場合等に暖房能力が不足する事態が発生するおそれがある。
【０００５】
本明細書では、暖房能力が不足する事態が発生することを抑制することが可能な技術を提供する。
【課題を解決するための手段】
【０００６】
本明細書が開示するヒートポンプシステムは、冷媒を圧縮する圧縮機と、室外空気と冷媒を熱交換する第１熱交換器と、室内空気と冷媒を熱交換する第２熱交換器と、冷媒を膨張させる膨張機構と、冷媒と熱媒の間で熱交換する第３熱交換器と、熱媒の熱を利用して室内を暖房する暖房端末と、冷媒の流れる流路を切り替える切替手段と、を備えている。そのヒートポンプシステムは、暖房運転と、冷房運転と、を実行可能である。暖房運転は、冷媒を圧縮機、第２熱交換器、膨張機構、第１熱交換器の順に循環させる第１動作と、冷媒を圧縮機、第３熱交換器、膨張機構、第１熱交換器の順に循環させるとともに、熱媒を暖房端末と第３熱交換器の間で循環させる第２動作と、の双方を含む運転である。冷房運転は、冷媒を圧縮機、第１熱交換器、膨張機構、第２熱交換器の順に循環させる動作を含む運転である。そのヒートポンプシステムは、暖房運転が実行されるべき場合において、第１動作と第２動作とのうちの少なくとも一方を実行する際に、燃料を燃焼させることによって発生する熱を利用して、暖房運転が実行される場合に、第２熱交換器に供給される冷媒を加熱することができる熱源機を備え、熱源機を動作させることにより、圧縮機によって加圧された冷媒の熱による暖房能力に対し、燃料を燃焼させることによって発生する熱による暖房能力を追加することが可能である。
【０００７】
上記のヒートポンプシステムは、熱源機で燃料を燃焼させることによって発生する熱を利用して、暖房運転が実行される場合に、第２熱交換器に供給される冷媒を加熱することができる。そのため、例えば、急速に室内を暖房したい場合のように、圧縮機の能力だけで暖房運転を行うと暖房能力が不足する場合に、熱源機を駆動させることにより、冷媒と熱媒とのうちの少なくとも一方の加熱能力を補うことができる。従って、このヒートポンプシステムによると、暖房能力が不足する事態の発生を抑制することができる。
【図面の簡単な説明】
【０００８】
【図１】第１実施例の冷暖房システム２の構成を模式的に示す図。
【図２】第１実施例の冷暖房システム２の冷房運転の様子を模式的に示す図。
【図３】第１実施例の冷暖房システム２の暖房運転（暖房端末５６及び室内空気熱交換器２６）の様子を模式的に示す図。
【図４】第１実施例の冷暖房システム２の暖房運転（暖房端末５６単独）の様子を模式的に示す図。
【図５】第１実施例の冷暖房システム２の暖房運転（室内空気熱交換器２６単独）の様子を模式的に示す図。
【図６】第１実施例の制御装置８が実行する暖房制御処理を示すフローチャート。
【図７】第２実施例の制御装置８が実行する暖房制御処理を示すフローチャート。
【図８】第３実施例の制御装置８が実行する暖房制御処理を示すフローチャート。
【図９】第４実施例の制御装置８が実行する暖房制御処理を示すフローチャート。
【図１０】第５実施例の制御装置８が実行する暖房制御処理を示すフローチャート。
【図１１】第６実施例の冷暖房システム１０２の構成を模式的に示す図。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  熱源機は、暖房端末と第３熱交換器の間で循環する熱媒を加熱することができる位置に設けられていることが好ましい。暖房端末は、室内において、第２熱交換器よりも低い位置に設けられていることが好ましい。
【００１１】
この構成によると、第２熱交換器よりも低い位置に設けられている暖房端末に供給される熱媒を熱源機によって十分に加熱することができるため、利用者にとって快適な暖房環境を実現し得る。
【００１２】
（特徴２）  ヒートポンプシステムは、室内空気の温度を検出する検出手段をさらに備えていることが好ましい。暖房運転を実行する場合において、検出手段によって検出される温度が第１温度より低い場合に、熱源機の動作、第１動作、及び、第２動作を実行し、検出手段によって検出される温度が第１温度以上である場合に、熱源機の動作を実行せず、第１動作及び第２動作を実行することが好ましい。
【００１３】
この構成によると、ヒートポンプシステムは、室内空気の温度に応じて、適切に暖房運転を実行することができる。
【００１４】
（特徴３）  ヒートポンプシステムは、室内空気の温度を検出する検出手段をさらに備えていることが好ましい。暖房運転を実行する場合において、検出手段によって検出される温度が、第２温度より低い場合に、熱源機の動作、第１動作、及び、第２動作を実行し、検出手段によって検出される温度が第２温度以上である場合に、熱源機の動作、第１動作、及び、第２動作のうち定格能力が最も高いものを実行せず、それ以外のものを実行することが好ましい。
【００１５】
この構成によると、ヒートポンプシステムは、室内空気の温度と、各動作の定格能力と、に応じて、適切に暖房運転を実行することができる。
【００１６】
（特徴４）  暖房運転を実行する場合において、さらに、検出手段によって検出される温度が第２温度より高温である第３温度以上である場合に、熱源機の動作、第１動作、及び、第２動作のうち定格能力が最も高いものと２番目に高いものとを実行せず、それら以外のものを実行することが好ましい。
【００１７】
この構成によると、ヒートポンプシステムは、室内空気の温度と、各動作の定格能力と、に応じて、より適切に暖房運転を実行することができる。
【００１８】
（特徴５）  ヒートポンプシステムは、室内空気の温度を検出する検出手段をさらに備えていることが好ましい。暖房運転を実行する場合において、検出手段によって検出される温度が、第４温度より低い場合に、第１動作及び第２動作を実行し、検出手段によって検出される温度が第４温度以上である場合に、さらに、（ａ）暖房端末が、室内において第２熱交換器より高い位置に設けられている場合には、第２動作を実行せずに第１動作を実行し、（ｂ）第２熱交換器が、室内において暖房端末より高い位置に設けられている場合には、第１動作を実行せずに第２動作を実行することが好ましい。
【００１９】
この構成によると、ヒートポンプシステムは、室内空気の温度と、暖房端末及び第２熱交換器の設置位置に応じて、適切に暖房運転を実行することができる。
【００２０】
（特徴６）  ヒートポンプシステムは、節電モードと通常モードとを含む複数のモードのうちいずれかで動作可能であって、室内空気の温度を検出する検出手段をさらに備えていることが好ましい。節電モードで動作する間に暖房運転を実行する場合において、予測消費電力が所定値より大きい場合に、検出手段によって検出される温度にかかわらず、第１動作及び第２動作を実行せずに、熱源機の動作のみを実行し、予測消費電力が所定値以下である場合に、検出手段によって検出される温度に応じて、第１動作と、第２動作と、熱源機の動作と、のうちの少なくとも１つを実行し、通常モードで動作する間に暖房運転を実行する場合に、検出手段によって検出される温度に応じて、第１動作と、第２動作と、熱源機の動作と、のうちの少なくとも１つを実行することが好ましい。
【００２１】
この構成によると、ヒートポンプユニットは、節電モードで動作する間に暖房運転を実行する場合に、予測消費電力が所定値より大きい場合には、熱源機の動作のみを実行する。即ち、ヒートポンプシステムは、節電モードで動作する間に暖房運転を実行する場合に、消費電力が一定量を超えないように暖房運転を実行することができる。そのため、ヒートポンプシステムは、節電モードで動作する間に暖房運転を実行する場合の消費電力を、通常モードで動作する間に暖房運転を実行する場合に比べて少なくすることができる。
【００２２】
（特徴７）  ヒートポンプシステムは、省エネモードと通常モードとを含む複数のモードのうちいずれかで動作可能であって、室内空気の温度を検出する検出手段をさらに備えていることが好ましい。省エネモードで動作する間に暖房運転を実行する場合には、熱源機の動作を実行せずに、検出手段によって検出される温度に応じて、第１動作と第２動作とのうちの少なくとも１つを実行し、通常モードで動作する間に暖房運転を実行する場合に、検出手段によって検出される温度に応じて、第１動作と、第２動作と、熱源機の動作と、のうちの少なくとも１つを実行することが好ましい。
【００２３】
この構成によると、ヒートポンプユニットは、省エネモードで動作する間に暖房運転を実行する場合には、熱源機の動作を実行しない。従って、ヒートポンプシステムは、省エネモードで動作する間に暖房運転を実行する場合のエネルギー消費量を、通常モードで動作する間に暖房運転を実行する場合のエネルギー消費量に比べて少なくすることができる。
【００２４】
（第１実施例）
（システム構成；図１）
図１に示すように、本実施例の冷暖房システム２は、ヒートポンプ空調装置４と、床暖房装置６と、制御装置８と、を備えている。
【００２５】
ヒートポンプ空調装置４は、冷媒（例えば、Ｒ３２やＲ４１０といったＨＦＣ冷媒や、Ｒ７４４といったＣＯ2冷媒等）を用いて、室外空気からの吸熱、室内空気からの吸熱、室外空気への放熱、及び、室内空気への放熱を行う。ヒートポンプ空調装置４は、圧縮機１２と、流量調整弁１４と、熱媒熱交換器１６と、第１膨張弁１８と、室外空気熱交換器２０と、第１ファン２２と、四方弁２４と、室内空気熱交換器２６と、第２ファン２８と、第２膨張弁３０と、冷媒循環路３２と、を備えている。
【００２６】
圧縮機１２は、気相状態の冷媒を圧縮して送り出す。流量調整弁１４は、３つのポートｅ、ｆ及びｇを備えており、圧縮機１２からポートｅに供給された気相状態の冷媒を、ポートｆとポートｇとに供給可能である。流量調整弁１４は、ポートｅからポートｆに流れる冷媒（即ち熱媒熱交換器１６に供給される冷媒）の流量の割合と、ポートｅからポートｇに流れる冷媒（即ち四方弁２４に供給される冷媒）の流量の割合と、を調整することができる。熱媒熱交換器１６は、後述の熱媒循環路５０内を通過する熱媒と、冷媒循環路３２内を通過する冷媒との間で熱交換する。第１膨張弁１８は、液相状態の冷媒を断熱膨張させて減圧する。室外空気熱交換器２０は、第１ファン２２によって送風される室外空気と、冷媒との間で熱交換をする。室外空気熱交換器２０及び第１ファン２２は、室外に配置されている。第１ファン２２の近傍には、外気温を検出する外気温サーミスタ４０が備えられている。四方弁２４は、４つのポートａ、ｂ、ｃ及びｄを備えており、ポートａとポートｂとが連通し、かつ、ポートｃとポートｄとが連通した状態（図中の実線部参照）と、ポートａとポートｄとが連通し、かつ、ポートｂとポートｃとが連通した状態（図中の破線部参照）との間で切り換わる。
【００２７】
室内空気熱交換器２６は、第２ファン２８によって送風される室内空気と、冷媒との間で熱交換をする。室内空気熱交換器２６及び第２ファン２８は、室内であって、後述の暖房端末５６（即ち床暖房用の端末）よりも室内の高い位置に配置されている。第２ファン２８の近傍には、室内の気温を検出する室内温度サーミスタ４２が備えられている。第２膨張弁３０は、液相状態の冷媒を断熱膨張させて減圧する。
【００２８】
冷媒循環路３２は、冷媒を、圧縮機１２と、流量調整弁１４と、熱媒熱交換器１６と、第１膨張弁１８と、室外空気熱交換器２０と、四方弁２４と、室内空気熱交換器２６と、第２膨張弁と、の間で循環させる。
【００２９】
床暖房装置６は、熱媒（例えば、水、不凍液等）を用いて室内空気への放熱（いわゆる床暖房）を行う。床暖房装置６は、熱媒熱交換器１６と、熱媒循環路５０と、バーナ５２と、ポンプ５４と、暖房端末５６と、を備えている。熱媒循環路５０は、熱媒を、熱媒熱交換器１６とバーナ５２と暖房端末５６との間で循環させる。バーナ５２は、ガス等の燃料を燃焼させることによって発生する燃焼熱を利用して、熱媒循環路５０を通過する熱媒を加熱する。バーナ５２は、熱媒循環路５０のうち、熱媒熱交換器１６より下流側であって、暖房端末５６より上流側の部分を通過する熱媒を加熱可能な位置に配置されている。ポンプ５４は、熱媒循環路５０内の熱媒を循環させる。暖房端末５６は、熱媒の熱を室内空気に放熱する。暖房端末５６は、室内の床に配置されている床暖房端末である。暖房端末５６は、熱媒循環路５０のうち熱媒熱交換器１６及びバーナ５２よりも下流側に備えられている。そのため、暖房端末５６には、熱媒熱交換器１６とバーナ５２で加熱された後の熱媒が供給される。熱媒熱交換器１６は、熱媒循環路５０のうち暖房端末５６よりも下流側の部分に備えられている。熱媒熱交換器１６には、暖房端末５６で放熱した後の低温の熱媒が供給される。
【００３０】
制御装置８は、ＣＰＵ、ＲＯＭ、ＲＡＭ等を備えている。ＲＯＭには各種の運転プログラムが格納されている。ＲＡＭには、制御装置８に入力される各種信号や、ＣＰＵが処理を実行する過程で生成される種々のデータが一時的に記憶される。制御装置８では、ＣＰＵがＲＯＭやＲＡＭに記憶された情報に基づいて、ヒートポンプ空調装置４及び床暖房装置６の各構成要素の動作を制御する。また、制御装置８には、図示しないリモコンが接続されている。リモコンには、ユーザが冷暖房システム２を操作するためのスイッチ、ユーザに冷暖房システム２の動作状態を表示する液晶表示器等が設けられている。ユーザは、リモコンを介して、暖房又は冷房の開始及び終了等を指示することができる。また、ユーザは、リモコンを介して、暖房設定温度及び冷房設定温度を設定することもできる。
【００３１】
次いで、冷暖房システム２の動作について説明する。空調システムは、冷房運転及び暖房運転を実行可能である。
【００３２】
（冷房運転；図２）
ユーザから冷房が指示されると、冷暖房システム２は、室内空気熱交換器２６によって室内を冷房する冷房運転を行う。図２に示されるように、冷房運転では、制御装置８は、四方弁２４を、ポートａとポートｄとが連通し、かつポートｂとポートｃとが連通した状態に切り替える。また、制御装置８は、流量調整弁１４を、ポートｅに供給された冷媒の全流量がポートｇに供給され、ポートｆには冷媒が供給されないように調整する（即ち、ポートｅとポートｇが連通し、ポートｅとポートｆが連通しない）。また、制御装置８は、第１ファン２２及び第２ファン２８を駆動するとともに、圧縮機１２を駆動する。
【００３３】
圧縮機１２で加圧されて高温高圧となった気相状態の冷媒は、流量調整弁１４（ポートｇ）及び四方弁２４を介して、室外空気熱交換器２０へ送られる。高温高圧の気相状態の冷媒は、室外空気熱交換器２０での室外空気との熱交換によって冷却されて凝縮し、液相状態となる。室外空気熱交換器２０で液相状態となった冷媒は、第２膨張弁３０へ送られる。第２膨張弁３０で減圧されて低温低圧となった液相状態の冷媒は、室内空気熱交換器２６へ送られる。低温低圧の液相状態の冷媒は、室内空気熱交換器２６での室内空気との熱交換によって加熱されて蒸発し、気相状態となる。気相状態となった冷媒は、四方弁２４を介して圧縮機１２に戻される。冷暖房システム２は、冷房運転において、上記のようなヒートポンプサイクルによって、室外空気熱交換器２０において室外空気に放熱して、室内空気熱交換器２６において室内を冷房する。
【００３４】
（暖房運転；図３〜図５）
ユーザから暖房が指示されると、冷暖房システム２は、室内空気熱交換器２６と暖房端末５６との少なくとも一方を用いて室内を暖房する暖房運転を行う。図３〜図５に示すように、冷暖房システム２は、室内空気熱交換器２６と暖房端末５６の両方を用いた暖房運転（図３参照）と、暖房端末５６のみを用いた暖房運転（図４参照）と、ヒートポンプ空調装置４のみを用いた暖房運転（図５参照）と、を行うことができる。以下、それぞれの暖房運転について説明する。
【００３５】
（室内空気熱交換器２６と暖房端末５６の両方を用いた暖房運転；図３）
室内空気熱交換器２６と暖房端末５６の両方を用いた暖房運転を行う場合、冷暖房システム２は、以下のように動作する。図３に示されるように、制御装置８は、四方弁２４を、ポートａとポートｂとが連通し、かつ、ポートｃとポートｄとが連通した状態に切り替える。また、制御装置８は、流量調整弁１４を、ポートｅに供給された冷媒の一部がポートｇに供給され、他の一部がポートｆに供給されるように調整する（即ち、ポートｅとポートｆ、ポートｅとポートｇがそれぞれ連通する）。また、制御装置８は、第１ファン２２及び第２ファン２８を駆動するとともに、圧縮機１２を駆動する。さらに、制御装置８は、ポンプ５４を駆動する。
【００３６】
圧縮機１２で加圧されて高温高圧となった気相状態の冷媒の一部は、流量調整弁１４（ポートｇ）及び四方弁２４を介して、室内空気熱交換器２６へ送られる。高温高圧の気相状態の冷媒は、室内空気熱交換器２６での室内空気との熱交換によって冷却されて凝縮し、液相状態となる。室内空気熱交換器２６で液相状態となった冷媒は第２膨張弁３０へ送られる。第２膨張弁３０で減圧されて低温低圧となった液相状態の冷媒は、第１膨張弁１８から送られる低温低圧の液相状態の冷媒と合流し、室外空気熱交換器２０へ送られる。低温低圧の液相状態の冷媒は、室外空気熱交換器２０での室外空気との熱交換によって加熱されて蒸発し、気相状態となる。気相状態となった冷媒は、四方弁２４を介して圧縮機１２に戻される。
【００３７】
一方、圧縮機１２で加圧されて高温高圧となった気相状態の冷媒の他の一部は、流量調整弁１４（ポートｆ）を介して、熱媒熱交換器１６へ送られる。高温高圧の気相状態の冷媒は、熱媒熱交換器１６での熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、第２膨張弁３０から送られた低温低圧の液相状態の冷媒と合流し、室外空気熱交換器２０へ送られる。その後の冷媒の流れは上記の通りであるため、詳しい説明を省略する。
【００３８】
また、ポンプ５４が駆動することによって、熱媒循環路５０内で熱媒が循環する。熱媒熱交換器１６での高温高圧の冷媒との熱交換によって加熱された高温の熱媒は、ポンプ５４とバーナ５２を介して、暖房端末５６に送られる。高温の熱媒は、暖房端末５６で室内空気との熱交換によって冷却される。暖房端末５６を通過した後の低温の熱媒は、熱媒熱交換器１６に供給され、冷媒との熱交換によって再度加熱される。制御装置８は、室内温度が、リモコンで設定された暖房設定温度に満たない場合（図６のＳ１０でＮＯ）のような所定の場合に、バーナ５２をさらに駆動することができる。バーナ５２が駆動することにより、熱媒熱交換器１６での高温高圧の冷媒との熱交換によって加熱された高温の熱媒が、バーナ５２における燃料の燃焼熱によってさらに加熱され、さらに高温の熱媒となる。この場合、熱媒熱交換器１６とバーナ５２の双方で加熱された熱媒が暖房端末５６に供給される。
【００３９】
冷暖房システム２は、上記のようなサイクルで冷媒及び熱媒を循環させることにより、室内空気熱交換器２６及び暖房端末５６の両方で室内空気に放熱し、室内を暖房することができる。
【００４０】
（暖房端末５６のみを用いた暖房運転；図４）
暖房端末５６のみを用いた暖房運転を行う場合、冷暖房システム２は、以下のように動作する。図４に示されるように、制御装置８は、四方弁２４を、ポートａとポートｂとが連通し、かつ、ポートｃとポートｄとが連通した状態に切り替える。また、制御装置８は、流量調整弁１４を、ポートｅに供給された冷媒の全流量がポートｆに供給され、ポートｇには冷媒が供給されないように調整する（即ち、ポートｅとポートｆが連通し、ポートｅとポートｇが連通しない）。また、制御装置８は、第１ファン２２を駆動するとともに、圧縮機１２を駆動する。なお、第２ファン２８は駆動させない。さらに、制御装置８は、ポンプ５４を駆動する。また、制御装置８は、所定の場合に、バーナ５２をさらに駆動することができる。
【００４１】
圧縮機１２で加圧されて高温高圧となった気相状態の冷媒は、その全量が、流量調整弁１４（ポートｆ）を介して、熱媒熱交換器１６へ送られる。高温高圧の気相状態の冷媒は、熱媒熱交換器１６での熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、室外空気熱交換器２０へ送られる。低温低圧の液相状態の冷媒は、室外空気熱交換器２０での室外空気との熱交換によって加熱されて蒸発し、気相状態となる。気相状態となった冷媒は、四方弁２４を介して圧縮機１２に戻される。
【００４２】
また、ポンプ５４、バーナ５２を駆動させることによる床暖房装置６の動作は、上記の図３の運転の場合と同様であるため、詳しい説明を省略する。冷暖房システム２は、上記のようなサイクルで冷媒及び熱媒を循環させることにより、暖房端末５６で室内空気に放熱し、室内を暖房することができる。図４の暖房運転では、室内空気熱交換器２６から室内空気に放熱されることはない。
【００４３】
（室内空気熱交換器２６のみを用いた暖房運転；図５）
室内空気熱交換器２６のみを用いた暖房運転を行う場合、冷暖房システム２は、以下のように動作する。図５に示されるように、制御装置８は、四方弁２４を、ポートａとポートｂとが連通し、かつ、ポートｃとポートｄとが連通した状態に切り替える。また、制御装置８は、流量調整弁１４を、ポートｅに供給された冷媒の全流量がポートｇに供給され、ポートｆには供給されないように調整する（即ち、ポートｅとポートｇが連通し、ポートｅとポートｆが連通させない）。また、制御装置８は、第１ファン２２及び第２ファン２８を駆動するとともに、圧縮機１２を駆動する。なお、ポンプ５４及びバーナ５２は駆動させない。
【００４４】
圧縮機１２で加圧されて高温高圧となった気相状態の冷媒は、その全量が、流量調整弁１４（ポートｇ）及び四方弁２４を介して、室内空気熱交換器２６へ送られる。高温高圧の気相状態の冷媒は、室内空気熱交換器２６での室内空気との熱交換によって冷却されて凝縮し、液相状態となる。室内空気熱交換器２６で液相状態となった冷媒は第２膨張弁３０へ送られる。第２膨張弁３０で減圧されて低温低圧となった液相状態の冷媒は、室外空気熱交換器２０へ送られる。低温低圧の液相状態の冷媒は、室外空気熱交換器２０での室外空気との熱交換によって加熱されて蒸発し、気相状態となる。気相状態となった冷媒は、四方弁２４を介して圧縮機１２に戻される。
【００４５】
冷暖房システム２は、上記のようなサイクルで冷媒を循環させることにより、室内空気熱交換器２６で室内空気に放熱し、室内を暖房することができる。図５の暖房運転では、暖房端末５６から室内空気に放熱されることはない。
【００４６】
暖房運転を実行する場合に、図３〜図５を用いて説明した各暖房運転のうちのいずれが実行されるのかは、制御装置８が実行する暖房制御処理（図６参照）によって決められる。以下、本実施例において、制御装置８が実行する暖房制御処理の内容について説明する。
【００４７】
（第１実施例における暖房制御処理；図６）
ユーザによって暖房が指示されると、制御装置８は、まず、四方弁２４を、ポートａとポートｂとが連通し、かつ、ポートｃとポートｄとが連通した状態に切り替える。次いで、制御装置８は、図６の暖房制御処理を開始する。暖房制御処理が開始されると、Ｓ１０では、制御装置８は、室内温度サーミスタ４２によって検出される室内温度が、リモコンで設定されている暖房設定温度Ｔｓより低いか否かを判断する。
【００４８】
室内温度サーミスタ４２の検出温度が暖房設定温度Ｔｓより低い場合、制御装置８は、Ｓ１０でＹＥＳと判断し、Ｓ１２に進む。本実施例において、Ｓ１０でＹＥＳの場合とは、室内温度がユーザによって要求されている暖房設定温度に到達していないため、高い暖房能力が必要とされる場合である。一方、室内温度サーミスタ４２の検出温度が暖房設定温度Ｔｓ以上である場合、制御装置８は、Ｓ１０でＮＯと判断し、Ｓ１４に進む。本実施例において、Ｓ１０でＮＯの場合とは、室内温度がユーザによって要求されている暖房設定温度に到達しており、高い暖房能力が必要とされない場合である。
【００４９】
Ｓ１２では、制御装置８は、流量調整弁１４を、ポートｅとポートｆ、ポートｅとポートｇがそれぞれ連通する状態に調整する。さらに、制御装置８は、第１ファン２２及び第２ファン２８を駆動するとともに、圧縮機１２を駆動させる。また、制御装置８は、ポンプ５４及びバーナ５２を駆動させる。なお、Ｓ１２の時点で、既に流量調整弁１４が、ポートｅとポートｆ、ポートｅとポートｇがそれぞれ連通する状態に調整され、かつ、圧縮機１２、ポンプ５４、及び、バーナ５２が駆動している場合には、制御装置８はその状態を維持する。このＳ１２の処理が行われることにより、冷暖房システム２は、バーナ５２を駆動させた状態で、図３で説明した暖房運転（即ち、室内空気熱交換器２６及び暖房端末５６を用いた暖房運転）を実行する。
【００５０】
一方、Ｓ１４では、制御装置８は、流量調整弁１４を、ポートｅとポートｆ、ポートｅとポートｇがそれぞれ連通する状態に調整する。さらに、制御装置８は、第１ファン２２及び第２ファン２８を駆動するとともに、圧縮機１２を駆動させる。また、制御装置８は、ポンプ５４を駆動させる。Ｓ１４では、バーナ５２は駆動させない。なお、Ｓ１４の時点で、既に流量調整弁１４が、ポートｅとポートｆ、ポートｅとポートｇがそれぞれ連通する状態に調整され、かつ、圧縮機１２及びポンプ５４が駆動し、バーナ５２が停止している場合には、制御装置８はその状態を維持する。このＳ１４の処理が行われることにより、冷暖房システム２は、バーナ５２を駆動させない状態で、図３の暖房運転を実行する。
【００５１】
制御装置８は、ユーザから暖房の停止が指示されるまで、上記の暖房制御処理（Ｓ１０〜Ｓ１４）を繰り返し実行する。ユーザから暖房の停止が指示されると、制御装置８は、暖房制御処理を終了する。即ち、制御装置８は、駆動中の各要素（圧縮機１２、第１ファン２２、第２ファン２８、ポンプ５４、バーナ５２等）を停止させる。この結果、冷暖房システム２は、暖房運転を終了する。
【００５２】
以上、本実施例の冷暖房システム２の構成及び運転内容について説明した。本実施例では、冷暖房システム２は、バーナ５２で燃料を燃焼させることによって発生する熱を利用して、暖房端末５６に供給される熱媒を加熱することができる。そのため、圧縮機１２の能力だけで暖房運転を行うと、必要な暖房能力を急速に得られない場合（図６のＳ１０でＮＯの場合）に、バーナ５２を駆動させて暖房運転を行うことにより、熱媒の加熱能力を補うことができる。従って、本実施例の冷暖房システム２によると、暖房能力が不足する事態の発生を抑制することができる。
【００５３】
また、本実施例の冷暖房システム２は、バーナ５２は、熱媒循環路５０のうち、熱媒熱交換器１６より下流側であって、暖房端末５６より上流側の部分を通過する熱媒を加熱可能な位置に配置されている。また、暖房端末５６は、床暖房用の端末であり、室内において、室内空気熱交換器２６よりも低い位置に設けられている。そのため、床暖房に用いる暖房端末５６に供給される熱媒をバーナ５２で加熱することができ、十分な床暖房運転を行い得る。そのため、利用者にとって快適な暖房環境を実現することができる。
【００５４】
また、本実施例の冷暖房システム２は、室内温度が暖房設定温度Ｔｓより低い場合（図６のＳ１０でＹＥＳ）に、バーナ５２を駆動させた状態で、図３の暖房運転を実行し（Ｓ１２）、室内温度が暖房設定温度Ｔｓ以上である場合（図６でＮＯ）に、バーナ５２を駆動させない状態で、図３の暖房運転を実行する。そのため、本実施例の冷暖房システム２は、室内空気の温度に応じて、適切に暖房運転を実行することができる。
【００５５】
ここで、実施例の記載と請求項の記載との対応関係を説明しておく。冷暖房システム２が「ヒートポンプシステム」の一例である。室外空気熱交換器２０、室内空気熱交換器２６、熱媒熱交換器１６が、それぞれ、「第１熱交換器」、「第２熱交換器」、「第３熱交換器」の一例である。四方弁２４が「切替手段」の一例である。バーナ５２が「熱源機」の一例である。室内温度サーミスタ４２が「検出手段」の一例である。図５で説明した室内空気熱交換器２６のみを用いた暖房運転が「第１動作」の一例である。図４で説明した暖房端末５６のみを用いた暖房運転が「第２動作」の一例である。暖房設定温度Ｔｓが、「第１温度」の一例である。
【００５６】
（第２実施例）
第１実施例と異なる点を中心に説明する。本実施例の冷暖房システム２の構成は、第１実施例の冷暖房システム２と共通する（図１参照）。本実施例では、暖房運転を実行する際に、室内温度が高くなることに伴って、（ｉ）バーナ５２の駆動、（ｉｉ）室内空気熱交換器２６による暖房、及び、（ｉｉｉ）暖房端末５６による暖房、のうち、定格能力（即ち、単位時間当たりの加熱量）の最も高いものから順に実行しないようにする（即ち、停止させる）点で、第１実施例とは異なる。なお、本実施例では、（ｉ）バーナ５２の駆動が最も定格能力が高く、（ｉｉ）室内空気熱交換器２６による暖房が二番目に定格能力が高く、（ｉｉｉ）暖房端末５６による床暖房が最も定格能力が低い。
【００５７】
（第２実施例における暖房制御処理；図７）
ユーザによって暖房が指示されると、制御装置８は、まず、四方弁２４を、ポートａとポートｂとが連通し、かつ、ポートｃとポートｄとが連通した状態に切り替える。次いで、制御装置８は、図７の暖房制御処理を開始する。暖房制御処理が開始されると、Ｓ２０では、制御装置８は、室内温度サーミスタ４２によって検出される室内温度が、リモコンで設定されている暖房設定温度Ｔｓより低いか否かを判断する。
【００５８】
室内温度サーミスタ４２の検出温度が暖房設定温度Ｔｓより低い場合、制御装置８は、Ｓ２０でＹＥＳと判断し、Ｓ２２に進む。一方、室内温度サーミスタ４２の検出温度が暖房設定温度Ｔｓ以上である場合、制御装置８は、Ｓ２０でＮＯと判断し、Ｓ２８に進む。本実施例において、Ｓ２０でＮＯの場合とは、室内温度がユーザによって要求されている暖房設定温度に到達しており、それほど高い暖房能力が必要とされない場合である。
【００５９】
Ｓ２２では、制御装置８は、室内温度サーミスタ４２によって検出される室内温度が、所定の閾値温度Ｔｔｈより低いか否かを判断する。ここで、閾値温度Ｔｔｈとは、リモコンで設定されている暖房設定温度Ｔｓより所定温度（例えば３℃）だけ低い温度である。室内温度サーミスタ４２の検出温度が閾値温度Ｔｔｈより低い場合、制御装置８は、Ｓ２２でＹＥＳと判断し、Ｓ２４に進む。本実施例において、Ｓ２２でＹＥＳの場合とは、室内温度が閾値温度にも到達しておらず、最高の暖房能力が必要とされる場合である。一方、室内温度サーミスタ４２の検出温度が閾値温度Ｔｔｈ以上である場合、制御装置８は、Ｓ２２でＮＯと判断し、Ｓ２６に進む。本実施例において、Ｓ２２でＮＯの場合とは、室内温度は少なくとも閾値温度に到達しているが、まだ暖房設定温度に到達しておらず、まだ高い暖房能力が必要とされる場合である。
【００６０】
Ｓ２４の処理は、図６のＳ１２の処理と同様である。即ち、冷暖房システム２は、バーナ５２を駆動させた状態で、図３の暖房運転（即ち、室内空気熱交換器２６及び暖房端末５６を用いた暖房運転）を実行する。
【００６１】
Ｓ２６の処理は、図６のＳ１４の処理と同様である。即ち、冷暖房システム２は、バーナ５２を駆動させない状態で、図３の暖房運転を実行する。
【００６２】
Ｓ２８では、制御装置８は、流量調整弁１４を、ポートｅとポートｆとが連通し、ポートｅとポートｇとが連通しない状態に調整する。さらに、制御装置８は、第１ファン２２を駆動するとともに、圧縮機１２を駆動させる。第２ファン２８は駆動させない。また、制御装置８は、ポンプ５４を駆動させる。バーナ５２は駆動させない。なお、Ｓ２８の時点で、既に、流量調整弁１４が、ポートｅとポートｆとを連通し、ポートｅとポートｇとを連通しない状態に調整され、かつ、圧縮機１２及びポンプ５４が駆動し、バーナ５２が停止している場合には、制御装置８はその状態を維持する。このＳ２８の処理が行われることにより、冷暖房システム２は、バーナ５２を駆動させない状態で、図４の暖房運転（即ち、暖房端末５６のみを用いた暖房運転）を実行する。
【００６３】
制御装置８は、ユーザから暖房の停止が指示されるまで、上記の暖房制御処理（Ｓ２０〜Ｓ２８）を繰り返し実行する。ユーザから暖房の停止が指示されると、制御装置８は、暖房制御処理を終了する。即ち、制御装置８は、駆動中の各要素（圧縮機１２、第１ファン２２、第２ファン２８、ポンプ５４、バーナ５２等）を停止させる。この結果、冷暖房システム２は、暖房運転を終了する。
【００６４】
以上、本実施例の冷暖房システム２の構成及び運転内容について説明した。上記の通り、本実施例では、冷暖房システム２は、室内温度が閾値温度Ｔｔｈより低い場合（図７のＳ２２でＹＥＳ）に、バーナ５２を駆動させた状態で、図３の暖房運転を実行する（Ｓ２４）。また、冷暖房システム２は、室内温度が閾値温度Ｔｔｈ以上であり、暖房設定温度Ｔｓより低い場合（Ｓ２２でＮＯ）、最も定格能力が高いバーナ５２を駆動させずに、図３の暖房運転を実行する（Ｓ２６）。また、冷暖房システム２は、室内温度が暖房設定温度Ｔｓ以上である場合（Ｓ２０でＮＯ）、最も定格能力が高いバーナ５２を駆動させないとともに、二番目に定格能力が高い室内空気熱交換器２６による暖房を実行せずに、図４の暖房運転（即ち、暖房端末５６のみを用いた暖房運転）を実行する。従って、本実施例の冷暖房システム２は、室内温度と、各要素の定格能力と、に応じて、適切に暖房運転を実行することができる。なお、本実施例の閾値温度Ｔｔｈが「第２温度」の一例である。また、暖房設定温度Ｔｓが、「第３温度」の一例である。
【００６５】
（第３実施例）
本実施例の冷暖房システム２の構成も、第１実施例の冷暖房システム２と共通する（図１参照）。本実施例では、暖房運転を実行する際に、室内温度が高くなることに伴って、室内において高い位置に設けられている端末による暖房から順に実行しないようにする点で、第１、第２実施例とは異なる。なお、本実施例の冷暖房システム２では、室内において、室内空気熱交換器２６が、暖房端末５６（いわゆる床暖房用の端末）よりも高い位置に設けられている。
【００６６】
（第３実施例における暖房制御装置；図８）
ユーザによって暖房が指示されると、制御装置８は、まず、四方弁２４を、ポートａとポートｂとが連通し、かつ、ポートｃとポートｄとが連通した状態に切り替える。次いで、制御装置８は、図８の暖房制御処理を開始する。Ｓ３０、Ｓ３２の各処理は、図７のＳ２０、Ｓ２２の各処理と同様であるため、詳しい説明を省略する。室内温度が閾値温度Ｔｔｈより低い場合、制御装置８は、Ｓ３０及びＳ３２でＹＥＳと判断し、Ｓ３４に進む。室内温度が閾値温度Ｔｔｈ以上であって暖房設定温度Ｔｓより低い場合、制御装置８は、Ｓ３０でＹＥＳ、Ｓ３２でＮＯと判断し、Ｓ３６に進む。室内温度が暖房設定温度Ｔｓ以上である場合、制御装置８は、Ｓ３０でＮＯと判断し、Ｓ３８に進む。
【００６７】
Ｓ３４の処理は、図６のＳ１２の処理と同様である。即ち、冷暖房システム２は、バーナ５２を駆動させた状態で、図３の暖房運転を実行する。
【００６８】
Ｓ３６では、制御装置８は、流量調整弁を、ポートｅとポートｆとが連通し、ポートｅとポートｇとが連通しない状態に調整する。さらに、制御装置８は、第１ファン２２を駆動するとともに、圧縮機１２を駆動させる。この際、第２ファン２８は駆動させない。また、制御装置８は、ポンプ５４及びバーナ５２を駆動させる。なお、Ｓ３６の時点で、既に、流量調整弁１４が、ポートｅとポートｆとが連通し、ポートｅとポートｇとが連通しない状態に調整され、かつ、圧縮機１２、ポンプ５４、及び、バーナ５２が駆動している場合には、制御装置８はその状態を維持する。このＳ３６の処理が行われることにより、冷暖房システム２は、バーナ５２を駆動させた状態で、図４の暖房運転（即ち、暖房端末５６のみを用いた暖房運転）を実行する。Ｓ３６の処理が行われる場合、室内空気熱交換器２６による暖房は行われない。
【００６９】
Ｓ３８の処理は、図７のＳ２８の処理と同様である。Ｓ３８では、即ち、冷暖房システム２は、バーナ５２を駆動させない状態で、図４の暖房運転を実行する。
【００７０】
制御装置８は、ユーザから暖房の停止が指示されるまで、上記の暖房制御処理（Ｓ３０〜Ｓ３８）を繰り返し実行する。ユーザから暖房の停止が指示されると、制御装置８は、暖房制御処理を終了する。即ち、制御装置８は、駆動中の各要素（圧縮機１２、第１ファン２２、第２ファン２８、ポンプ５４、バーナ５２等）を停止させる。この結果、冷暖房システム２は、暖房運転を終了する。
【００７１】
以上、本実施例の冷暖房システム２の構成及び運転内容について説明した。上記の通り、本実施例では、冷暖房システム２は、室内温度が閾値温度Ｔｔｈより低い場合（図８のＳ３２でＹＥＳ）に、バーナ５２を駆動させた状態で、図３の暖房運転を実行する（Ｓ３４）。即ち、室内空気熱交換器２６を用いた暖房を行う。また、冷暖房システム２は、室内温度が閾値温度Ｔｔｈ以上である場合（Ｓ３２でＮＯ、Ｓ３０でＮＯ）、室内空気熱交換器２６を用いた暖房を行わない。即ち、本実施例の冷暖房システム２では、室内温度が閾値温度Ｔｔｈより低いか否かに応じて、室内において暖房端末５６よりも高い位置に設けられている室内空気熱交換器２６を用いた暖房を行うか否かを切り替えている。言い換えると、本実施例の冷暖房システム２では、暖房運転を実行する際に、低い位置に設けられている暖房端末５６を用いた暖房を、高い位置に設けられている室内空気熱交換器２６を用いた暖房よりも長く実行することができる。一般に、低い位置から暖房を行う場合、暖められた空気が室内を上昇するため、高い位置から暖房を行う場合に比べて、室内にいる利用者が快適に感じる場合が多い。従って、本実施例の冷暖房システム２は、室内空気の温度と、室内空気熱交換器２６及び暖房端末５６の設置位置に応じて、適切に暖房運転を実行することができる。なお、本実施例の閾値温度Ｔｔｈが「第４温度」の一例である。
【００７２】
（第４実施例）
本実施例の冷暖房システム２の構成も、第１実施例の冷暖房システム２と共通する（図１参照）。本実施例では、冷暖房システム２は、節電モードと通常モードの２つの動作モードを有している。冷暖房システム２は、節電モードと通常モードの２つの動作モードのうちの一方で動作する。本実施例では、冷暖房システム２は、節電モードで動作する間に暖房運転を実行する場合、消費電力が所定の許容電力値を超えないように制限する。冷暖房システム２の動作モードは、ユーザがリモコンで設定することができる。
【００７３】
（第４実施例における暖房制御処理；図９）
ユーザによって暖房が指示されると、制御装置８は、まず、四方弁２４を、ポートａとポートｂとが連通し、かつ、ポートｃとポートｄとが連通した状態に切り替える。次いで、制御装置８は、図９の暖房制御処理を開始する。
【００７４】
Ｓ４０では、制御装置８は、冷暖房システム２の動作モードが節電モードであるか否かを判断する。リモコンで設定されている動作モードが節電モードである場合、制御装置８は、Ｓ４０でＹＥＳと判断し、Ｓ４２に進む。一方、リモコンで設定されている動作モードが通常モードである場合、制御装置８は、Ｓ４０でＮＯと判断し、図７の暖房制御処理（図７のＳ１０〜Ｓ２４の各処理）を実行する。図７のＳ２４、Ｓ２６、Ｓ２８のいずれかの処理を実行すると、制御装置８は、図９のＳ４０に戻り、Ｓ４０の判断を再度行う。
【００７５】
Ｓ４２、Ｓ４４の各処理は、図７のＳ２０、Ｓ２２の各処理と同様であるため、詳しい説明を省略する。室内温度が閾値温度Ｔｔｈより低い場合、制御装置８は、Ｓ４２及びＳ４４でＹＥＳと判断し、Ｓ４６に進む。室内温度が閾値温度Ｔｔｈ以上であって暖房設定温度Ｔｓより低い場合、制御装置８は、Ｓ４２でＹＥＳ、Ｓ４４でＮＯと判断し、Ｓ４８に進む。室内温度が暖房設定温度Ｔｓ以上である場合、制御装置８は、Ｓ４２でＮＯと判断し、Ｓ５０に進む。
【００７６】
Ｓ４６では、制御装置８は、圧縮機１２を駆動させて暖房運転を行う場合の消費電力予測値が、予め定められている節電モード用の許容電力値以下であるか否かを判断する。具体的には、Ｓ４６では、まず、制御装置８は、室内温度サーミスタ４２の検出温度（即ち、室内温度）、外気温サーミスタ４０の検出温度（即ち、外気温）、及び、暖房設定温度Ｔｓに基づいて、圧縮機１２を駆動させて暖房運転を行う場合の消費電力予測値を算出する。次いで、制御装置８は、算出した消費電力予測値が、予め定められている許容電力値以下であるか否かを判断する。消費電力予測値が許容電力値以下である場合、Ｓ４６でＹＥＳと判断し、Ｓ５２に進む。一方、消費電力予測値が許容電力値より大きい場合、Ｓ４６でＮＯと判断し、Ｓ５８に進む。
【００７７】
Ｓ５２の処理は、図６のＳ１２の処理と同様である。即ち、冷暖房システム２は、バーナ５２を駆動させた状態で、図３の暖房運転を実行する。
【００７８】
Ｓ５８では、制御装置８は、ポンプ５４及びバーナ５２を駆動させる。この際、制御装置８は、第１ファン２２、第２ファン２８、及び、圧縮機１２を動作させない。即ち、ヒートポンプ空調装置４を動作させない。即ち、Ｓ５８の処理を行うことにより、冷暖房システム２は、バーナ５２の燃焼熱のみを熱源として、暖房端末５６を用いた暖房を行う。
【００７９】
Ｓ４８の処理は、Ｓ４６と同様である。消費電力予測値が許容電力値以下である場合、Ｓ４８でＹＥＳと判断し、Ｓ５４に進む。一方、消費電力予測値が許容電力値より大きい場合、Ｓ４８でＮＯと判断し、Ｓ５８に進む。
【００８０】
Ｓ５４の処理は、図６のＳ１４（図７のＳ２６）と同様である。即ち、冷暖房システム２は、バーナ５２を駆動させない状態で、図３の暖房運転を実行する。一方、Ｓ５８の処理の内容は上記の通りである。
【００８１】
Ｓ５０の処理も、Ｓ４６、Ｓ４８と同様である。消費電力予測値が許容電力値以下である場合、Ｓ５０でＹＥＳと判断し、Ｓ５６に進む。一方、消費電力予測値が許容電力値より大きい場合、Ｓ５０でＮＯと判断し、Ｓ５８に進む。
【００８２】
Ｓ５６の処理は、図７のＳ２８の処理と同様である。即ち、冷暖房システム２は、バーナ５２を駆動させない状態で、図４の暖房運転を実行する。一方、Ｓ５８の処理の内容は上記の通りである。
【００８３】
制御装置８は、ユーザから暖房の停止が指示されるまで、上記の暖房制御処理（Ｓ４０〜Ｓ５８）を繰り返し実行する。ユーザから暖房の停止が指示されると、制御装置８は、暖房制御処理を終了する。即ち、制御装置８は、駆動中の各要素（圧縮機１２、第１ファン２２、第２ファン２８、ポンプ５４、バーナ５２等）を停止させる。この結果、冷暖房システム２は、暖房運転を終了する。
【００８４】
以上、本実施例の冷暖房システム２の構成及び運転内容について説明した。上記の通り、本実施例では、冷暖房システム２は、節電モードで動作する間に暖房運転を実行する場合において、予測消費電力が所定の許容電力より大きい場合に（Ｓ４６、Ｓ４８、Ｓ５０、のいずれかでＹＥＳ）、室内温度に関わらず、ヒートポンプ空調装置４を動作させずに、バーナ５２の燃焼熱のみを熱源として暖房端末５６で暖房を行う（図９のＳ５８参照）。即ち、冷暖房システム２は、節電モードで動作する第に暖房運転を実行する場合に、消費電力が一定量を超えないように暖房運転を実行することができる。そのため、本実施例の冷暖房システム２は、節電モードで動作する間に暖房運転を実行する場合の消費電力を、通常モードで動作する間に暖房運転を実行する場合に比べて少なくすることができる。なお、本実施例の許容電力値が、「所定値」の一例である。
【００８５】
（第５実施例）
本実施例の冷暖房システム２の構成も、第１実施例の冷暖房システム２と共通する（図１参照）。本実施例では、冷暖房システム２は、省エネモードと通常モードの２つの動作モードを有している。冷暖房システム２は、省エネモードと通常モードの２つの動作モードのうちの一方で動作する。本実施例では、冷暖房システム２は、省エネモードで動作する間に暖房運転を実行する場合、バーナ５２を動作させないことによって消費エネルギーを抑制する。冷暖房システム２の動作モードは、ユーザがリモコンで設定することができる。
【００８６】
（第５実施例における暖房制御処理；図１０）
ユーザによって暖房が指示されると、制御装置８は、まず、四方弁２４を、ポートａとポートｂとが連通し、かつ、ポートｃとポートｄとが連通した状態に切り替える。次いで、制御装置８は、図１０の暖房制御処理を開始する。
【００８７】
Ｓ６０では、制御装置８は、冷暖房システム２の動作モードが省エネモードであるか否かを判断する。リモコンで設定されている動作モードが省エネモードである場合、制御装置８は、Ｓ６０でＹＥＳと判断し、Ｓ６２に進む。一方、リモコンで設定されている動作モードが通常モードである場合、制御装置８は、Ｓ６０でＮＯと判断し、図７の暖房制御処理（図７のＳ１０〜Ｓ２４の各処理）を実行する。図７のＳ２４、Ｓ２６、Ｓ２８のいずれかを実行すると、制御装置８は、図１０のＳ６０に戻り、Ｓ６０の判断を再度行う。
【００８８】
Ｓ６２の処理は、図６のＳ１０と同様であるため、詳しい説明を省略する。室内温度が暖房設定温度Ｔｓより低い場合、制御装置８は、Ｓ６２でＹＥＳと判断し、Ｓ６４に進む。室内温度が暖房設定温度Ｔｓ以上である場合、制御装置８は、Ｓ６２でＮＯと判断し、Ｓ６６に進む。
【００８９】
Ｓ６４の処理は、図６のＳ１４（図７のＳ２６）の処理と同様である。即ち、冷暖房システム２は、バーナ５２を駆動させない状態で、図３の暖房運転を実行する。
【００９０】
一方、Ｓ６６の処理は、図７のＳ２８の処理と同様である。即ち、冷暖房システム２は、バーナ５２を駆動させない状態で、図４の暖房運転を実行する。
【００９１】
制御装置８は、ユーザから暖房の停止が指示されるまで、上記の暖房制御処理（Ｓ６０〜Ｓ６６）を繰り返し実行する。ユーザから暖房の停止が指示されると、制御装置８は、暖房制御処理を終了する。即ち、制御装置８は、駆動中の各要素（圧縮機１２、第１ファン２２、第２ファン２８、ポンプ５４、バーナ５２等）を停止させる。この結果、冷暖房システム２は、暖房運転を終了する。
【００９２】
以上、本実施例の冷暖房システム２の構成及び運転内容について説明した。上記の通り、本実施例では、冷暖房システム２は、省エネモードで動作する間に暖房運転を実行する場合には、バーナ５２を駆動させない（Ｓ６２〜Ｓ６４参照）。従って、本実施例の冷暖房システム２では、省エネモードで動作する間に暖房運転を実行する場合のエネルギー消費量を、通常モードで動作する間に暖房運転を実行する場合のエネルギー消費量に比べて少なくすることができる。
【００９３】
（第６実施例）
図１１に示すように、本実施例の冷暖房システム１０２では、冷媒循環路３２内の冷媒を加熱可能な位置にバーナ１５２が設けられ、熱媒循環路５０内の熱媒を加熱可能な位置にバーナが備えられていない点で、第１実施例の冷暖房システム２（図１参照）とは異なる。図１１に示すように、本実施例の冷暖房システム１０２は、バーナ１５２の設置位置以外は、第１実施例の冷暖房システム２と共通している。本実施例の冷暖房システム１０２も、第１実施例の冷暖房システム２と同様に、図３〜図５に示す各種暖房運転を実行することができる。
【００９４】
本実施例では、冷暖房システム１０２は、バーナ１５２で燃料を燃焼させることによって発生する熱を利用して、室内空気熱交換器２６に供給される冷媒を加熱することができる。そのため、本実施例でも、圧縮機１２の能力だけで暖房運転を行うと、必要な暖房能力を得られない場合に、バーナ１５２を駆動させて暖房運転を行うことにより、冷媒の加熱能力を補うことができる。従って、本実施例の冷暖房システム１０２による場合も、暖房能力が不足する事態の発生を抑制することができる。
【００９５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００９６】
（変形例１）第１〜第５実施例の冷暖房システム２では、図１に示すように、バーナ５２は、熱媒循環路５０内の熱媒を加熱可能な位置に設けられており、冷媒循環路３２内の冷媒を加熱可能な位置には設けられていない。また、第６実施例の冷暖房システム１０２では、図１１に示すように、バーナ１５２は、冷媒循環路３２内の冷媒を加熱可能な位置に設けられており、熱媒循環路５０内の熱媒を加熱可能な位置には設けられていない。これに限られず、冷暖房システム２（１０２）では、熱媒循環路５０内の熱媒を加熱可能な位置にバーナ５２を設けるとともに、冷媒循環路３２内の冷媒を加熱可能な位置にバーナ１５２をさらに設けてもよい。
【００９７】
（変形例２）上記の第２実施例では、暖房運転を実行する際に、室内温度が高くなることに伴って、（ｉ）バーナ５２の駆動、（ｉｉ）室内空気熱交換器２６による暖房（空気暖房）、及び、（ｉｉｉ）暖房端末５６による床暖房、のうち、定格能力（即ち、単位時間当たりの加熱量）の最も高いものから順に実行しないようにする（即ち、停止させる）。第２実施例では、（ｉ）バーナ５２の駆動が最も定格能力が高く、（ｉｉ）室内空気熱交換器２６による暖房が二番目に定格能力が高く、（ｉｉｉ）暖房端末５６による床暖房が最も定格能力が低い。しかしながら、（ｉ）〜（ｉｉｉ）の各動作の定格能力の高さの順は、上記のものには限られない。例えば、（ｉ）バーナ５２の駆動が最も定格能力が高く、（ｉｉｉ）暖房端末５６による床暖房が二番目に定格能力が高く、（ｉｉ）室内空気熱交換器２６による暖房が最も定格能力が低くてもよい。その場合、室内温度が暖房設定温度Ｔｓ以上である場合（図７のＳ２０でＮＯの場合）、図７のＳ２８の処理に代えて、制御装置８は、以下の処理を行ってもよい。即ち、制御装置８は、流量調整弁１４を、ポートｅに供給された冷媒の全部をポートｇに供給し、ポートｆに供給しないように調整する（即ち、ポートｅとポートｇとを連通し、ポートｅとポートｆとを連通しない）。さらに、制御装置８は、第１ファン２２及び第２ファン２８を駆動するとともに、圧縮機１２を駆動させる。また、制御装置８は、ポンプ５４及びバーナ５２を駆動させない。この処理が行われることにより、冷暖房システム２は、バーナ５２を駆動させない状態で、図５で説明した暖房運転（即ち、ヒートポンプ空調装置４のみを用いた暖房運転）を実行する。
【００９８】
（変形例３）上記の第３実施例では、暖房運転を実行する際に、室内温度が高くなることに伴って、室内において高い位置に設けられている端末（即ち、室内空気熱交換器２６）による暖房から順に実行しないようにする。第３実施例では、室内空気熱交換器２６は、暖房端末５６よりも高い位置に設けられている。これに限られず、上記の第３実施例において、暖房端末５６が、室内空気熱交換器２６よりも、室内において高い位置に設けられていてもよい。その場合、冷暖房システム２は、室内温度が閾値温度Ｔｔｈより低いか否かに応じて、室内において室内空気熱交換器２６よりも高い位置に設けられている暖房端末５６を用いた暖房を行うか否かを切り替えるようにしてもよい。
【００９９】
（変形例４）上記の第４実施例では、冷暖房システム２は、節電モードと通常モードの２つの動作モードを有している。これに限られず、第４実施例の冷暖房システム２は、節電モードと通常モードとを含む複数のモードで動作可能であってもよい。第４実施例の冷暖房システム２は、節電モードと通常モード以外のモード（例えば、省エネモード等）で動作可能であってもよい。同様に、上記の第５実施例の冷暖房システム２は、省エネモードと通常モードとを含む複数のモードで動作可能であってもよい。第５実施例の冷暖房システム２は、省エネモードと通常モード以外のモード（例えば、節電モード等）で動作可能であってもよい。
【０１００】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０１】
２：冷暖房システム
４：ヒートポンプ空調装置
６：床暖房装置
８：制御装置
１２：圧縮機
１４：流量調整弁
１６：熱媒熱交換器
１８：第１膨張弁
２０：室外空気熱交換器
２２：第１ファン
２４：四方弁
２６：室内空気熱交換器
２８：第２ファン
３０：第２膨張弁
３２：冷媒循環路
４０：外気温サーミスタ
４２：室内温度サーミスタ
５０：熱媒循環路
５２：バーナ
５４：ポンプ
５６：暖房端末
１０２：冷暖房システム
１５２：バーナ
【図１】
0006526398.tif 000002
【図２】
0006526398.tif 000003
【図３】
0006526398.tif 000004
【図４】
0006526398.tif 000005
【図５】
0006526398.tif 000006
【図６】
0006526398.tif 000007
【図７】
0006526398.tif 000008
【図８】
0006526398.tif 000009
【図９】
0006526398.tif 000010
【図１０】
0006526398.tif 000011
【図１１】
0006526398.tif 000012